(57)【要約】【課題】機体側に固定されたステップフレームと、該ステップフレームに載置して固定されるマットとを有する作業車両において、マットをステップフレーム上に容易に位置決め可能であって、ステップフレーム側への圃場の泥等の付着を効率的に防止しながらにして、機体のフレーム構成、及びステップ構成を簡素化できる作業車両を提供することを課題としている。【解決手段】機体の側部に固定されたステップ１８を備え、該ステップ１８が、機体側に固定されたステップフレーム３１と、該ステップフレーム３１に載置して固定されるマット３２とを有する作業車両であって、前記マット３２を、ステップフレーム３１の上面及び外側側面に接当する正断面視Ｌ字状に形成した。【選択図】図５
2014093964.tif 000002
【特許請求の範囲】
【請求項１】
機体の側部に固定されたステップ（１８）を備え、該ステップ（１８）が、機体側に固定されたステップフレーム（３１）と、該ステップフレーム（３１）に載置して固定されるマット（３２）とを有する作業車両であって、前記マット（３２）を、ステップフレーム（３１）の上面及び外側側面に接当する正断面視Ｌ字状に形成した作業車両。
【請求項２】
前記マット（３２）のステップフレーム（３１）側面に近接又は接当する部分に、該ステップフレーム（３１）と凹凸嵌合する凸部（４７）を一体的に形成した作業車両。
【請求項３】
前記マット（３２）の内側縁部に該マット（３２）をステップフレーム（３１）側に係止する係止部（４６）を設け、該係止部（４６）を、機体の少なくとも側部を外側からカバーする機体カバー（９）の内側に位置させてなる請求項１又は２の何れかに記載の作業車両。
【発明の詳細な説明】
【技術分野】
【０００１】
本発明は、ボンネットの左右両外にフロントステップを備えた作業車両に関する。
【背景技術】
【０００２】
従来、枠状のステップ支持体に床面を有する機体カバーを被着してステップを構成した作業車両が一般的であったが、機体のフレーム構成、及びステップ構成を簡素化するにあたり、該ステップを、機体側に固定された板状のステップフレームと、該ステップフレームの上面に載置して固定されるマットとから構成する特許文献１に記載の作業車両が従来公知である。
【先行技術文献】
【特許文献】
【０００３】
【特許文献１】特開２０１１−２４５１９号公報
【発明の概要】
【発明が解決しようとする課題】
【０００４】
上記文献に示すような作業車両は、ステップフレーム上面に、マットを複数の留め具を介して係止するか、または、接着して取り付けるものであるが、前者は非係止部の捲れ上がりが生じ、足元が不安定になることが懸念され、後者はマットのみの、又はステップフレームのみの取り替えが困難であった。
【０００５】
本発明では、機体側に固定されたステップフレームと、該ステップフレームに載置して固定されるマットとを有する作業車両において、マットをステップフレーム上に容易に位置決め可能であって、ステップフレーム側への圃場の泥等の付着を効率的に防止しながらにして、機体のフレーム構成、及びステップ構成を簡素化できる作業車両を提供することを課題としている。
【課題を解決するための手段】
【０００６】
上記課題を解決するため本発明は、第１に、機体の側部に固定されたステップ１８を備え、該ステップ１８が、機体側に固定されたステップフレーム３１と、該ステップフレーム３１に載置して固定されるマット３２とを有する作業車両であって、前記マット３２を、ステップフレーム３１の上面及び外側側面に接当する正断面視Ｌ字状に形成したことを特徴としている。
【０００７】
第２に、前記マット３２のステップフレーム３１側面に近接又は接当する部分に、該ステップフレーム３１と凹凸嵌合する凸部４７を一体的に形成したことを特徴としている。
【０００８】
第３に、前記マット３２の内側縁部に該マット３２をステップフレーム３１側に係止する係止部４６を設け、該係止部４６を、機体の少なくとも側部を外側からカバーする機体カバー９の内側に位置させてなることを特徴としている。
【発明の効果】
【０００９】
前記マットをステップフレームの上面及び外側側面に当接する正面断面視Ｌ字状に形成したことにより、マットの位置決めが容易になる。さらに、前記ステップフレームの上面及び外側側面を前記マットで覆うことにより、マットの捲れ上がりを防止するとともに、ステップフレーム側に泥等が入ることを効率的に防止しながら、機体のフレーム構成、及びステップ構成を簡素化できる。
【００１０】
また、前記マットのステップフレーム側面に近接又は接当する部分に、該ステップフレームと凹凸嵌合する凸部を一体的に形成したものによれば、ステップフレームに取付けたマットが捲れることを効率的に防止できるとともに、凹凸嵌合する嵌合部分が外から見えない構成となるため、外観も良好に保たれる。
【００１１】
なお、前記マットの内側縁部に該マットをステップフレーム側に係止する係止部を設け、該係止部を、機体の少なくとも側部を外側からカバーする機体カバーの内側に位置させてなるものによれば、係止部が機体カバーによって隠れるため、外観形状が良好に保たれるとともに、係止部に泥等が付着することも防止できる。
【図面の簡単な説明】
【００１２】
【図１】本発明の作業車両を適用した乗用田植機の側面図である。
【図２】本発明の作業車両を適用した乗用田植機の平面図である。
【図３】本発明の作業車両を適用した乗用田植機の斜視図である。
【図４】開状態のボンネットを示す要部斜視図である。
【図５】ステップフレームとステップマットの取付態様を示す斜視図である。
【図６】（Ａ）乃至（Ｃ）は、フロントステップの平面図、側面図及び底面図である。
【図７】側面カバー部の凹凸嵌合を示した要部Ａ−Ａ断面図である。
【図８】支持片を示すボンネットの要部側面図である。
【図９】（Ａ）は、ボンネットの要部側面図であり、（Ｂ）は、溝部を示す要部Ｂ−Ｂ断面図である。
【発明を実施するための形態】
【００１３】
以下、図示する例に基づき本発明の実施例について説明する。
図１乃至３は、本発明の作業車両を適用した乗用田植機の側面図，平面図，及び斜視図であり、図４は、開状態のボンネットを示す要部斜視図である。図示する乗用田植機（移植機）は、左右一対の前輪１，１及び後輪２，２によって支持される走行機体３と、走行機体３の後部にリンク機構４を介して昇降可能に支持された植付作業機６と、植付作業機６と後輪２との間に配置された左右方向の整地作業機７とを備えている。
【００１４】
前記走行機体３を支持する機体フレーム８は、前部に上下開閉可能なボンネット（機体カバー）９に囲繞されたエンジン１１が搭載されており、該エンジン１１の後方側にオペレータが乗込んで操向操作を行う操縦部１２が設けられている。
【００１５】
該操縦部１２は、オペレータが着座１３する座席１３を備え、この座席１３の前方側に操向操作を行うステアリングハンドル１４等の各種操作具が設置されたフロント操作パネル１６が配置されており、座席１３とステアリングハンドル１４との間には、床面となるフロアステップ（ステップ）１７が形成されている。
【００１６】
また、該ステアリングハンドル１４の前方、且つボンネット９の左右両側には、フロアステップ１７と略同一高さのフロントステップ１８がそれぞれ設けられ、該フロントステップ１８の後方、且つフロアステップ１７の左右両側にはフロアステップ１７と略同一高さのサイドステップ２０が設けられ、座席１３の左右斜め後方にはフロアステップ１７より一段高いリアステップ１９が形成されている。なお、左右のフロントステップ１８の前端側の間には、フロントカバー２１が取付けられている。前記フロントステップ１８の詳細な構成については後述する。
【００１７】
上記ボンネット９は、ボンネット９の後方上側に左右一対設けた連結部２２を、機体（操縦部１２）側の前記フロント操作パネル１６の前側に回動自在に支持することにより、上下回動（開閉）可能に取付けられている。これにより、該ボンネット９は、下方回動されると、ボンネット９の下縁側が機体フレーム８側の受け部２３によって受止められるとともに、該状態において、機体フレーム８の前端側に設けた保持具２４によって、ボンネット９の前端内側のフック部材（図示しない）を連結することにより、ボンネット９の閉状態を保持することができる（図３及び図４参照）。受け部２３の詳しい構成については後述する。
【００１８】
また、機体フレーム８の前端中央側には、保持具２４の他に、上方に向けてＬ字状に屈曲形成されたセンターマーカ２６が設けられている。このとき、前記フロントカバー２１の前端中央側を、下方に向けて切欠くとともに、ボンネット下縁部の中央に、上方に向けて凹設された凹設部２７を形成したことにより、センターマーカ２６がボンネット９の閉状態において、センターカバー２１及びボンネット９側に干渉しないように構成されている（図４参照）。
【００１９】
前記植付作業機６は、前方に向かって上方に急傾斜する苗載台２８と、苗載台２８の下方に配設された植付部２９とを備えている。走行機体３側のエンジン動力は、図示しない植付クラッチによって、この植付作業機６に断続伝動される。このようにして伝動されたエンジン動力によって植付部２９が駆動し、苗載台２８の背面側に載置された苗は、駆動する植付部２９によって掻き取られて圃場に植付けられる。
【００２０】
次に、図５乃至７に基づき、フロントステップの構成について説明する。
図５は、ステップフレームとステップマットの取付態様を示す斜視図であり、図６（Ａ）乃至（Ｃ）は、フロントステップの平面図、側面図及び底面図であり、図７は、側面カバー部の凹凸嵌合を示した要部Ａ−Ａ断面図である。前記フロントステップ１８は、左右内側が機体フレーム８のボンネット左右外側方に取付けられる金属製のステップフレーム３１と、該ステップフレーム３１の上面及び外面側をカバーするステップマット（マット）３２と、を備えている。
【００２１】
前記ステップフレーム３１は、前端の左右外側が平面視円弧状に屈曲された方形状の上面部３４と、外縁側の後端側から円弧状の前端外側を経由した前端内側に亘って（平面視Ｌ字状の範囲に）、下方に向けて延設された側面部３６とを備え、該上面部３４と側面部３６により断面Ｌ字状に形成されている。これにより、該側面部３６には、上面部３４の前端外側の形状に沿って円弧状に屈曲した屈曲部３６ａが形成されている。なお、ステップフレーム３１は上面部３４及び側面部３６を備えていれば良く、例えば箱状に形成されたものであっても良い。
【００２２】
また、該ステップフレーム３１の内縁側には、ステップフレーム３１を前記機体フレーム８に載置されたエンジン１１の左右両側に取付・固定するための取付部３７が前後一対形成されており、該取付部３７には、ビス、ネジ又はボルト等（図示する例では固定ピン３８）を用いてステップフレーム３１を機体フレーム８側に着脱自在に取付けるための取付孔３７ａが穿設されている。
【００２３】
前記ステップマット３２は、ステップフレーム３１の上面部３４の全体をカバーする上面カバー部４１と、ステップフレーム３１の側面部３６の全体を外側からカバーする側面カバー部４２とにより、断面Ｌ字状に形成されている。具体的には、該ステップマット３２の全体形状は、硬質の樹脂材によって、図５乃至７に示されるように、上面部３４及び側面部３６に接するように少なくとも正断面視Ｌ字状に一体成形されているため、該ステップマット３２は、上面カバー部４１と側面カバー部４２が、ステップフレーム３１上に載置されることによって、位置決めされるように構成されている。
【００２４】
上記の上面カバー部４１は、前後方向に亘って所定密度で設けた複数の円柱状の突起からなる第１滑止め部４３と、前端側及び後端内側に設けた棒状の突起からなる第２滑止め部４５とが一体形成されるとともに、外縁側に沿って、所定の間隔で立上片４４が上方に向けて立上げ形成されている。該構成の滑止め部４３，４５及び立上片４４によれば、フロントステップ１８に乗った作業者がフロントステップ１８上で滑ることを効率的に防止できるとともに、前記立上片４４は、作業者の靴の裏に付着した泥等を落とす泥落しとしても機能させることができる。
【００２５】
また、上面カバー部４１の内縁側は、ステップフレーム３１側の取付部３７上面側をカバーする係止部４６が前後に形成されており、該係止部４６には、ステップマット３２をステップフレーム３１上に位置決めした状態において、前記取付孔３７ａと重なる（連通する）係止孔４６ａが穿設されている。したがって、ステップマット３２をステップフレーム３１上に載置・位置決めした状態で、固定ピン３８を係止孔４６ａ及び取付孔３７ａに挿通することにより、ステップマット３２及びステップフレーム３１（フロントステップ１８）を機体フレーム８側にピン固定（ボルト固定等）できるように構成されている（図５参照）。
【００２６】
上記の側面カバー部４２は、前記側面部３６の屈曲部３６ａをカバーする屈曲部４２ａが形成されており、側面カバー部４２の内周面側には、ステップフレーム３１の側面部３６側と凹凸嵌合される突出部（凸部）４７が一体形成されている。該突出部４７は、具体的には平面視で、側面カバー部４２の前端内側と、屈曲部４２ａ手前の側方前側と、後端側との計３箇所から内面側に向けて突設されている。また、ステップフレーム３１の側面部３６側に、該突出部４７に対応する嵌合孔４８がそれぞれ穿設されている（図５及び図６（Ａ），（Ｃ）参照）。
【００２７】
さらに、前記上面カバー部４１の外縁側には、前記立上片４４同士の間であって、且つ前記突出部４７の真上側となる位置に、ステップマット３２の上方側から突出部４７を視認可能な視認孔４９が設けられている。これにより、ステップマット３２をステップフレーム３１側に位置決めした状態において、視認孔４９を介して突出部４７が嵌合孔４８に凹凸嵌合されているか否かをフロントステップ１８上面側から確認することができる（図７参照）。
【００２８】
上述の構成のフロントステップ１８によれば、ステップマット３２がステップフレーム３１の上面及び側面部の形状に沿った断面Ｌ字状に形成されたことにより、ステップマット３２をステップフレーム３１の上面側から容易に位置決めできるとともに、ステップマット３２が上面部３４及び側面部３６の全体を覆うため、ステップフレーム３１側に圃場の泥等が付着することを防止できる。
【００２９】
また、ステップフレーム３１の上面部３４及び側面部３６、或いは機体フレーム８側に、ステップマット３２を位置決めするための加工が必要ないため、ステップフレーム３２や機体フレーム８側の構成を簡素化できる。
【００３０】
上記フロントステップ１８は、ステップマット３２がステップフレーム３１上に位置決めされた状態で、取付孔３７ａ及び係止孔４６ａに固定ピン３８等を連通することにより、ステップマット３２のステップフレーム３１側への取付けと、フロントステップ１８の機体フレーム８側への取付固定とを同時にできる（図５参照）。該構成によれば、機体フレーム８側に、ステップフレーム３１とステップマット３２の取付箇所も別途に設ける必要がないため、機体フレーム８の構成がより簡易になるとともに、ステップフレーム３１及びステップマット３２の交換も容易になる。
【００３１】
さらに、前記ステップマット３２を、ステップフレーム３１上に位置決めした際に、側面カバー部４２側の突出部４７と、側面部３６側の嵌合孔４８とを凹凸嵌合させることにより、ステップマット３２がステップフレーム３１側に取付けられる。該構成によれば、ステップマット３２の側面カバー部４２がステップフレーム３１の側面部３６から捲れ上がることを効率的に防止できるとともに、前記係止部４６の数も少なくできる。このとき、突出部４７と嵌合孔４８との凹凸嵌合がフロントステップ１８の外側からは視認できないため、外観も良好に保たれる（図６（Ｂ）参照）。
【００３２】
ちなみに、前記側面カバー部４２の屈曲部４２ａは、側面部３６の屈曲部３６ａよりも、より滑らかな円弧状に屈曲形成されている。具体的に説明すると、ステップフレーム３１の屈曲部３６ａは、板部材を複数個所（図示する例では２箇所）折曲げて形成した簡易かつ安価な構成であり、該屈曲部３６ａを、滑らかな円弧状に形成された前記側面カバー部４２の屈曲部４２ａによってカバーすることにより、ステップフレーム３１の形状を簡素化して製造コストを抑えつつ、フロントステップ１８全体の外観形状を良好にできるものである。
【００３３】
なお、前記ステップマット３２には、前記受け部２３を構成する溝部３３が形成されている。受け部２３について以下説明する。
【００３４】
次に、図５乃至９に基づき、ボンネットの受け部について説明する。
図８は、支持片を示すボンネットの要部側面図であり、図９（Ａ）は、ボンネットの要部側面図であり、図９（Ｂ）は、溝部を示す要部Ｂ−Ｂ断面図である。前記受け部２３は、前記ステップマット３２上の内縁側に沿って前後方向に形成され、ボンネット９の下縁側を収容する溝部３３と、前記フロントカバー２１に形成され、ボンネット９の下縁側と当接する規制部５１と、から構成されており、閉状態の位置まで下方回動したボンネット９を位置決めし、左右前後方向への移動を規制する（図４参照）。
【００３５】
前記ボンネット９の下縁側は、エンジン１１を囲うように平面視で前方に向かって突出するＵ字状に形成されており、図９（Ｂ）に示されるように、エンジン１１の左右両側において、左右外側に向けてクランク状に屈曲形成されて前記溝部３３に収容される下縁側方部９ａと、フロントカバー２１側の前記規制部５１と当接する左右方向の下縁前部９ｂとを備えている。
【００３６】
また、下縁側方部９ａの後端（操縦部）側には、前記溝部３３の底面３３ａに当接し、ボンネット９を支持する支持片５２が下方に向けて突設形成されている（図８参照）。さらに、前記下縁前部９ｂの中央前端側には、前記保持具２４によって係脱自在に保持されるフック部材（図示しない）が設けられており、閉状態のボンネット９を保持することができる。
【００３７】
前記規制部５１は、後方に向かって切欠かれた左右方向に延びる段部であって、ボンネットの下縁前部９ｂに沿って平面視円弧状に形成されており、該規制部５１に、閉状態の下縁前部９ｂの前面側と下面側とが当接し、閉状態でのボンネットの前後左右の移動を規制している。
【００３８】
前記溝部３３は、ステップマット３２を上面側に向けて滑らかな山型に屈曲形成した外壁部３３ｂの内側面と、該外壁部３３ｂの左右内側に形成した山型の内壁部３３ｃの外側面とにより、下方に向かって間が狭まる断面すり鉢状（テーパー状）であって且つ底面３３ａが略フラットになるように形成されている。
【００３９】
すなわち、図８に示すように、ボンネット９が後方上端側の連結部２２を支点に下方回動されると、前記下縁側方部９ａに一対形成された前記支持片５２が前記溝部３３の底面３３ａと当接するとともに、下縁側方部９ａが、溝部３３の内周面側（底面３３ａ，外壁部３３ｂ内側面及び内壁部３３ｃ外側面）に接触しない構成で溝部３３に覆われる。言い換えると、ボンネット９の閉状態では、下縁側方部９ａが底面３３ａから浮かせた状態で溝部３３に収容される。
【００４０】
これにより、ボンネット９を下方回動して、閉状態に切換えることにより、前記下縁側方部９ａと、溝部３３との間に、一定のクリアランス５６が形成される（図９（Ｂ）参照）。
【００４１】
上述の構成によれば、ボンネット下縁側と溝部３３側とを互いを嵌合させて閉状態のボンネット９を固定する場合と比較して、ボンネット下縁の全体と、溝部３３の底面３３ａ全体とを、互いが隙間なく密着するように高精度に成形する必要がなく、且つボンネット９の組付けにもある程度の誤差が許容されるようになる。また、閉状態の下縁側方部９ａについて支持片５２のみを溝部３３に当接させて、下縁側方部９ａと溝部３３との間にクリアランス５６を形成したことにより、ボンネット９のガタつきを効率的に防止できる。
【００４２】
さらに、前記溝部３３を下方に向かって幅が狭まる断面すり鉢状に形成したことにより、ボンネット９を下方回動する際に、支持片５２が溝部３３によって底面３３ａに案内されるため、ボンネット９の閉操作をスムーズにできる。
【００４３】
なお、図８及び図９に示されるように、前記溝部３３の外壁部３３ｂが、溝部３３に収容された下縁側方部９ａを覆うことにより、前記クリアランス５６が外部から視認できないため、外観形状も良好に保たれている。
【００４４】
ちなみに、ボンネット９よりも軟質な材料で形成されたステップマット３２（ＰＰ：ポリプロピレン等）に、閉状態の支持片５２を受ける前記溝部３３を設けたことにより、底面３３ａと当接するボンネット９側の支持片５２によってステップマット３２が上方側から押付けられるため、ステップマット３２の位置決めがより安定する他、ステップマット３２を固定する部材を減らすことができるため、製造コストも低く抑えることができる。
【００４５】
なお、フロントステップ１８を機体フレーム８側に取付ける前記取付部３７及び係止部４６は、前記溝部３３の左右方向内側に配置されているため、ボンネット９を下方回動して閉状態に切換えると、前記取付部３７及び係止部４６が、ボンネット９の内側に配置されるように構成されている。
【００４６】
該構成によれば、フロントステップ１８の取付部３７及び係止部４６を閉状態のボンネット９内側に隠すことができるため、外観形状が良好に保たれるとともに、該取付箇所に圃場の泥等が付着することを防止できる。
【符号の説明】
【００４７】
９  ボンネット（機体カバー）
１８  フロントステップ（ステップ）
３１  ステップフレーム
３２  ステップマット（マット）
４６  係止部
４７  突出部（凸部）
【図１】
2014093964.tif 000003
【図２】
2014093964.tif 000004
【図３】
2014093964.tif 000005
【図４】
2014093964.tif 000006
【図５】
2014093964.tif 000007
【図６】
2014093964.tif 000008
【図７】
2014093964.tif 000009
【図８】
2014093964.tif 000010
【図９】
2014093964.tif 000011